(57)【要約】本発明は、ペットの脊椎、股関節および膝蓋骨の脱臼を保護し且つ補正するために着用するペットのための体形補正用衣類に関するものであり、前記ペットの体形補正用衣類は、伸縮性を有する素材からなるが、弾力性が異なる部分がそれぞれ画定されて形成され、前記ペットの背および腹を取り囲む上衣と、前記ペットの後脚を取り囲む下衣と、を備えるように形成されることにより、前記室内で生活するペットが前記体形補正用衣類を着ているだけでも姿勢を真っ直ぐに正してペットの脊椎と、膝および股関節を保護することができるというメリットがある。【選択図】図４
2018519789.tif 000002
【特許請求の範囲】
【請求項１】
ペットの脊椎、股関節および膝蓋骨の脱臼を保護し且つ補正するために着用するペットの体形補正用衣類であって、
前記ペットの体形補正用衣類は伸縮性を有する素材からなるが、
弾力性が異なる部分がそれぞれ画定されて形成され、
前記ペットの背および腹を取り囲む上衣と、前記ペットの後脚を取り囲む下衣と、を含んで形成されることを特徴とするペットのための体形補正用衣類。
【請求項２】
前記ペットの背および腹を取り囲む上衣は、
ペットの背を取り囲む前面部および腹を取り囲む背面部からなり、
前記上衣を着用したとき、前記前面部は、ペットの脊椎を保護するために脊椎を基準として左右に形成された脊椎保護部と、
前記脊椎保護部と隣り合うように形成されて脊椎保護部を両側に引っ張って固定する脊椎固定部と、を含み、
前記脊椎保護部および脊椎固定部を除く残りの部分は、弾力性が異なるように形成されることを特徴とする請求項１に記載のペットのための体形補正用衣類。
【請求項３】
前記背面部に、前記ペットの心臓を保護するための心臓マッサージ部と、
前脚が入れられるように形成された嵌合部と、がさらに配設され、
前記心臓マッサージ部は一体に形成されるが、心臓マッサージ機能が実行できるように突出部を有するように形成されることを特徴とする請求項２に記載のペットのための体形補正用衣類。
【請求項４】
前記背面部に、前記ペットの腹部に腹部を保護するための腹部マッサージ部がさらに配設され、
前記腹部マッサージ部は一体に形成されるが、腹部マッサージ機能が実行できるように突出部を有するように形成されることを特徴とする請求項３に記載のペットのための体形補正用衣類。
【請求項５】
前記脊椎保護部は、前記ペットの脊椎を中心として所定の間隔を隔てて左右に且つ脊椎と平行にそれぞれ形成され、
前記脊椎固定部は、前記形成された脊椎保護部の所定の位置から始まって前記背面部に至るまで続いて形成され、
繊維素材により形成された嵌合部は、前記背面部に前記ペットの前脚が入れられるような形状に形成されることを特徴とする請求項２に記載のペットのための体形補正用衣類。
【請求項６】
前記脊椎保護部および脊椎固定部を除く残りの部分は、
前記脊椎保護部および脊椎固定部よりも弾力性が弱いことを特徴とする請求項５に記載のペットのための体形補正用衣類。
【請求項７】
前記脊椎固定部が形成される所定の位置は、
前記脊椎保護部の長手方向の中間位置を基点として上部および下部にそれぞれ位置することを特徴とする請求項６に記載のペットのための体形補正用衣類。
【請求項８】
前記ペットの後脚を取り囲む下衣は、
前記ペットの尻尾を通すための開口部が形成された尻尾部と、
前記ペットの後脚の膝を取り囲んで膝の靭帯を保護するための膝保護部と、
を備え、
前記膝保護部を除く残りの部分は、前記膝保護部と弾力性が異なるように形成されることを特徴とする請求項１に記載のペットのための体形補正用衣類。
【請求項９】
前記ペットの後脚を取り囲む下衣は、
前記ペットの尻尾を通すための開口部が形成された尻尾部と、
前記ペットの股関節を保護するために股関節を取り囲む股関節部と、
をさらに備え、
前記股関節部を除く残りの部分は、前記股関節部と弾力性が異なるように形成されることを特徴とする請求項１に記載のペットのための体形補正用衣類。
【請求項１０】
前記ペット用衣類は、ずり落ちを防ぐために前記ペットの腰に引っ掛かるように固定する固定部をさらに備え、
前記固定部は弾力性を有するように形成されることを特徴とする請求項８または請求項９に記載のペットのための体形補正用衣類。
【請求項１１】
前記膝保護部は、前記後脚の膝部に前記膝を取り囲んだ菱形を有する形で形成され、形成された状態で前記片側の膝保護部を拡開させると、Ｘ字状が続いて真ん中に前記菱形が形成され、前記菱形を両側から引っ張って前記膝を圧迫することを特徴とする請求項８に記載のペットのための体形補正用衣類。
【請求項１２】
前記膝保護部は、前記後脚の膝部に前記膝を取り囲む複数の直線を有する形で形成され、前記直線が形成される方向は横方向または縦方向であり、前記直線を両側から引っ張って前記膝を圧迫することを特徴とする請求項１１に記載のペットのための体形補正用衣類。
【請求項１３】
前記股関節部は、前記ペットの両側の股関節部にＸ字状を有する形で形成されることを特徴とする請求項９に記載のペットのための体形補正用衣類。
【請求項１４】
前記膝保護部および股関節部は弾力性が互いに等しいように形成され、前記膝保護部および前記股関節部を除く残りの部分の弾力性を、前記膝保護部および股関節部の弾力性よりも弱くすることを特徴とする請求項８または請求項９に記載のペットのための体形補正用衣類。
【発明の詳細な説明】
【技術分野】
【０００１】
本発明は、ペットの体形補正用衣類に係り、さらに詳しくは、ペットの脊椎、股関節および膝蓋骨の脱臼を保護し且つ補正するために着用するペットのための体形補正用衣類に関する。
【背景技術】
【０００２】
近年、所得水準が高くなり、しかも、核家族化による家族構成員の減少が進むことに伴い、生活の退屈さを避けるために各種のペットを育てる家庭が急増している。
【０００３】
各種のペットを育てる家庭では、このようなペットを親族や実子と同じように扱うため、各種のペットはほとんどの場合に室内で育てられている。この理由から、所定の周期おきに各種のペットを運動させたり、ペット主が散歩をするときに連れていったりする必要があるが、ペット主の各々が多忙な現代的生活を営む中で、ペットを運動させたり散歩に連れていったりする時間的・精神的な余裕がないために、ペットを散歩に連れていったり運動をさせたりすることは不可能である。このため、ペットは限られた場所で生活するために動きが制限され、これはペットの肥満に繋がる結果、ペットの脊椎に問題が生じる。
【０００４】
また、共同住宅や一戸立てに設けられている床や床敷物は滑り易くて滑りによる転倒事故が頻繁に起こり、その結果、ペットの脚が撓み、膝蓋骨が脱臼してしまうという現象が起こっており、前記ペットがまるで人間のように起立する姿勢をとるときや肥満になったときに股関節が脱臼してしまうという現象が起こる。
【０００５】
このような現象に起因して、ペットは限られた場所で生活する中で姿勢が乱れ、肥満になって膝および股関節が脱臼してしまうという問題が生じていた。
【発明の概要】
【発明が解決しようとする課題】
【０００６】
本発明は上述したような問題を解消するために案出されたものであり、その目的は、ペットが前記体形補正用衣類を着用した場合、前記体形補正用衣類の上部にはペットの脊椎を保護する脊椎保護部および前記脊椎保護部を固定する脊椎固定部を設け、これらの脊椎保護部および脊椎固定部を他の部分とは弾力性が異なるように形成することにより、肥満により脊椎に無理がいくペットの脊椎を圧迫および固定してペットの脊椎を保護する機能を有するペットのための体形補正用衣類を提供することにある。
【０００７】
また、本発明の他の目的は、前記ペット用衣類の下部には弾力性が異なるように膝保護部および股関節部を形成して、前記ペットの膝および股関節を圧迫して固定することにより、前記ペットの膝および股関節を保護する機能を有するペットのための体形補正用衣類を提供することにある。
【０００８】
しかしながら、本発明の目的は上述した目的に何等制限されず、言及されていないさらに他の目的は、以下の記載から当業者にとって明確に理解できる筈である。
【課題を解決するための手段】
【０００９】
上記目的を達成するための本発明は、ペットの脊椎と、股関節および膝蓋骨の脱臼を保護し且つ補正するために着用するペットの体形補正用衣類において、前記ペットの体形補正用衣類は、伸縮性を有する素材からなるが、弾力性が異なる部分にそれぞれ画定されて形成され、前記ペットの背および腹を取り囲む上衣と、前記ペットの後脚を取り囲む下衣と、を含んで形成される。
【００１０】
前記ペットの背および腹を取り囲む上衣は、ペットの背を取り囲む前面部および腹を取り囲む背面部からなり、前記ペットを着用したとき、前記前面部は、ペットの脊椎を保護するために脊椎を基準として左右に形成された脊椎保護部と、前記脊椎保護部と隣り合うように形成されて脊椎保護部を両側に引っ張って固定する脊椎固定部と、を備え、前記脊椎保護部および脊椎固定部を除く残りの部分は、弾力性が異なるように形成される。
【００１１】
すなわち、形成に際して、脊椎保護部および脊椎固定部の弾力性は等しいが、前記残りの部分は弾力性が低い状態で形成される。
【００１２】
また、前記背面部に、前記ペットの心臓が位置している左側の近くに形成されて前記ペットの心臓を保護するために形成された心臓マッサージ部と、前記背面部に形成されて前脚が入れられるように形成された嵌合部と、を含み、前記心臓マッサージ部は、形成に際してエンボシング若しくは突起部を設けて心臓マッサージ機能が実行できるように形成される。
【００１３】
さらに、前記背面部に、前記ペットの腹部に腹部を保護するための腹部マッサージ部がさらに配設され、前記腹部マッサージ部は衣類と一体に形成されるが、腹部マッサージ機能が実行できるように突出部を有するように形成される。
【００１４】
さらにまた、前記脊椎保護部は、前記ペットの脊椎を中心として所定の間隔を隔てて左右に且つ脊椎と平行にそれぞれ形成され、前記脊椎固定部は、前記形成された脊椎保護部の所定の位置から始まって前記背面部に至るまで続いて形成され、前記嵌合部は、前記背面部に前記ペットの前脚が入れられるような形状に形成される。
【００１５】
このとき、前記脊椎保護部および脊椎固定部を除く残りの部分は、前記脊椎保護部および脊椎固定部よりも弾力性が弱いことを特徴とし、前記脊椎固定部が形成される所定の位置は、前記脊椎保護部の高さの半分の部分を基点として上部および下部にそれぞれ位置することを特徴とする。
【００１６】
前記ペットの後脚を取り囲む下衣は、前記ペットの尻尾を通すための開口部が形成された尻尾部と、前記ペットの後脚の膝を取り囲んで膝の靭帯を保護するための膝保護部および前記ペットの股関節を保護するために股関節を取り囲む股関節部を備え、前記膝保護部および股関節部とこれらを除く残りの部分は、弾力性が異なるように形成される。
【００１７】
また、前記ペット用衣類は、ずり落ちを防ぐために前記ペットの腰に引っ掛かるように固定する固定部をさらに備え、前記固定部は弾力性を有する素材により形成される。
【００１８】
このとき、前記膝保護部および股関節部を除く残りの部分は弾力性を有するように形成され、前記弾力性はそれぞれ異なることを特徴とする。
【００１９】
さらに、前記膝保護部は、前記後脚の膝部に前記膝を取り囲んだ菱形を有する形で形成、前記片側の膝保護部を拡げると、Ｘ字状が続いて真ん中に前記菱形が形成され、前記膝が通された菱形を両側から引っ張って前記膝を圧迫および固定する。
【００２０】
さらにまた、前記膝保護部は、前記後脚の膝部に前記膝を取り囲む複数の直線を有する形で形成され、前記直線が形成される方向は横方向や縦方向であり、前記直線を両側から引っ張って前記膝を圧迫および固定する。
【００２１】
これらに加えて、前記股関節部は、前記ペットの両側の股関節部にＸ字状を有する形で形成されることを特徴とする。
【００２２】
このとき、前記膝保護部および股関節部の弾力性は等しいように形成され、前記膝保護部および前記股関節部を除く残りの部分は、前記膝保護部および股関節部の弾力性よりも弱いように形成される。
【００２３】
本発明の特徴およびメリットは、添付図面に基づいて行う下記の詳細な説明によりなお一層明らかになるであろう。
【００２４】
これに先立って、本明細書および請求の範囲において用いられた用語や単語は、通常の及び辞書に記載の意味で解釈されてはならず、発明者が自分の発明を最良の方法で説明するために用語の概念を適切に定義することができるという原則に即して本発明の技術的な思想に合う意味および概念として解釈されるべきである。
【発明の効果】
【００２５】
以上述べたように、本発明によれば、前記ペットの体形補正用衣類は、伸縮性を有する繊維素材により製織されるが、弾力性の強度がそれぞれ異なる素材を用いて、脊椎を保護する脊椎保護部および脊椎固定部を形成して、前記ペットの脊椎を圧迫および固定して保持することができ、膝が保護可能な膝保護部を形成してペットの膝を圧迫することにより、膝蓋骨の脱臼を予防し且つ補正し、股関節を圧迫して固定することにより、前記室内で生活するペットが前記ペットの体形補正用衣類を着ているだけでも姿勢を真っ直ぐに正してペットの脊椎と、膝および股関節を保護することができるというメリットがある。
【図面の簡単な説明】
【００２６】
【図１】本発明の実施形態によるペットのための体形補正用衣類の上衣の前面部を示す平面図である。
【図２】本発明の実施形態によるペットのための体形補正用衣類の上衣の背面部を示す平面図である。
【図３】本発明の実施形態によるペットのための体形補正用衣類の上衣の展開状態を示す平面図である。
【図４】本発明の実施形態によるペットのための体形補正用衣類の上衣の着用状態を示す斜視図である。
【図５】本発明の実施形態によるペットのための体形補正用衣類の写真である。
【図６】本発明の実施形態によるペットのための体形補正用衣類の下衣の平面図である。
【図７】本発明の実施形態によるペットのための体形補正用衣類の下衣の平面図である。
【図８】本発明の実施形態によるペットのための体形補正用衣類の下衣の平面図である。
【図９】本発明の実施形態によるペットのための体形補正用衣類の下衣の平面図である。
【図１０】本発明の実施形態によるペットのための体形補正用衣類の下衣の展開状態を示す平面図である。
【図１１】本発明の実施形態によるペットのための体形補正用衣類の下衣の展開状態を示す平面図である。
【図１２】本発明の実施形態によるペットのための体形補正用衣類の下衣の着用状態を示す斜視図である。
【発明を実施するための形態】
【００２７】
本発明の利点および特徴並びにこれらを達成する方法は、添付される図面と結び付けて詳細に後述されている実施形態を参照すればなお一層明らかになるであろう。しかしながら、本発明は以下において開示される実施形態に限定されるものではなく、異なる種々の形態に具体化可能であり、単にこれらの実施形態は、本発明の開示を完全なものにし、本発明が属する技術分野において通常の知識を有する者に発明の範囲を完全に知らせるために提供されるものであり、本発明は、請求の範囲の範囲により定義されるだけである。なお、明細書の全般に亘って同じ参照符号は同じ構成要素を指し示す。
【００２８】
以下、添付図面および実施形態に基づいて、本発明に係るペットのための体形補正用衣類について説明する。
【００２９】
図１は、本発明の実施形態によるペットのための体形補正用衣類の上衣の前面部を示す平面図であり、図２は、本発明の実施形態によるペットのための体形補正用衣類の上衣の背面部を示す平面図であり、図３は、本発明の実施形態によるペットのための体形補正用衣類の上衣の展開状態を示す平面図であり、図４は、本発明の実施形態によるペットのための体形補正用衣類の上衣の着用状態を示す斜視図であり、図５は、本発明の実施形態によるペットのための体形補正用衣類の写真であり、図６乃至図９は、本発明の実施形態によるペットのための体形補正用衣類の下衣の平面図であり、図１０および図１１は、本発明の実施形態によるペットのための体形補正用衣類の下衣の展開状態を示す平面図であり、図１２は、本発明の実施形態によるペットのための体形補正用衣類の下衣の着用状態を示す斜視図である。
【００３０】
本発明に係るペットの体形補正用衣類は、ペットの脊椎、股関節および膝蓋骨脱臼を保護し且つ補正するために着用するものである。
【００３１】
前記ペットの体形補正用衣類は、伸縮性を有する素材からなるが、弾力性が異なる部分にそれぞれ画定されて形成され、前記ペットの背および腹を取り囲む上衣１００と、前記ペットの後脚を取り囲む下衣２００と、を含んで形成される。
【００３２】
図１および図２を参照すると、前記ペットの背および腹を取り囲む上衣１００は、ペットが着用したときにペットの背を取り囲む前面部１００ａと、背を取り囲む背面部１００ｂと、を備える。
【００３３】
前記図１および図２は、前記上衣の裏側面である前面部１００ａおよび背面部１００ｂを示すものである。
【００３４】
まず、ペットが着用したとき、前面部１００ａは、脊椎保護部１１０および脊椎固定部１２０を備える。
【００３５】
前記脊椎保護部１１０は、ペットが前記体形補正用衣類の上衣を着用したとき、ペットの脊椎を基準として左右に同じ幅をもって脊椎と平行に形成され、脊椎が撓まないように姿勢を正すために弾力性を有するように形成される。
【００３６】
前記脊椎固定部１２０は、前記脊椎保護部１１０が揺れないように圧迫および固定するために左右に設けられた脊椎保護部１１０とそれぞれ隣り合うように形成され、脊椎保護部を固定するために弾力性を有するように形成される。
【００３７】
また、前記脊椎固定部１２０は、前記脊椎保護部１１０と左右に隣り合うようにそれぞれ２以上に形成されてもよい。
【００３８】
このとき、前記脊椎保護部１１０および脊椎固定部１２０の弾力性は、脊椎保護部及び脊椎固定部を除く他の部分の弾力性とは異なるようにする。
【００３９】
さらに、前記脊椎固定部１２０は、前記脊椎保護部１１０の所定の位置から始まって背面部に至るまで続いて形成されるが、前記所定の位置は、前記脊椎保護部１１０の中間地点を基準として上部および下部にそれぞれ形成される。
【００４０】
このとき、前記脊椎固定部１２０が形成される位置は限定されず、同図を参照すると、任意の位置に形成されている。
【００４１】
ペットが着用したとき、 背面部１００ｂは、嵌合部１３０と、心臓マッサージ部１４０および脊椎固定部１２０を備える。
【００４２】
このとき、前記脊椎固定部１２０は、ペット用衣類の前面部１００ａから始まって背面部１００ｂに至るまで続いて形成される。
【００４３】
前記嵌合部１３０は、ペットの前脚が入れられるように形成されるが、前記嵌合部１３０の形状は限定されず、前記ペットの胸近くの右側および左側に弾力性を有するように形成される。
【００４４】
前記心臓マッサージ部１４０は、ペットの心臓が位置している右側近くのマッサージが行えるように突出部１４１を有するように形成されて、ペットの心臓を保護するためのマッサージ機能を実行することができ、前記心臓マッサージ部１４０はクッション感を有するように形成される。
【００４５】
また、前記腹部マッサージ部１５０は、ペットの腹部に形成されて、ペットの腹部を保護するためのマッサージ機能が実行できるように突出部１５１を有するように形成され、前記腹部マッサージ部１５０もまたクッション感を有するように形成される。
【００４６】
このとき、前記体形補正用衣類の上衣は弾力性を有する繊維素材により形成されることを特徴とし、前記脊椎保護部１１０および脊椎固定部１２０を除く残りの部分は、前記脊椎保護部１１０および脊椎固定部１２０よりも弾力性が弱いように形成される。
【００４７】
図３に示すペット用衣類の左側および右側に示すＳおよびＳ’の部分が図示の仮想線ｌ１、ｌ２を軸として矢印の方向に折り畳まれながら繋がって一体に形成される。
【００４８】
図３を参照すると、ペットの脊椎を保護するために前記ペットの脊椎近くの右側および左側に形成された脊椎保護部１１０ａ、１１０ｂは、前記脊椎保護部１１０ａ、１１０ｂの右側に２以上の脊椎固定部１２０ａ、１２０ｂが併設され、左側に２以上の脊椎固定部１２０ｃ、１２０ｄが併設されて前記前面部１００ａから背面部１００ｂにまで続くように形成することにより、前記脊椎保護部１１０ａ、１１０ｂをなお一層強固に固定する。
【００４９】
図６乃至図１２を参照すると、前記ペットの後脚を取り囲む下衣は、尻尾部２１０と、膝保護部２２０と、股関節部２３０および固定部２４０を備える。
【００５０】
図６および図７を参照すると、ここで、前記尻尾部２１０は、ペットの尻尾および尻部まで一緒に開放可能なように形成されて、ペットが用便しやすいように製織されて形成され、弾力性を有するように製織される。
【００５１】
前記膝保護部２２０は、すべすべしている床や床敷物で滑り易いペットの後脚の膝蓋骨の脱臼を保護および補正するためにペットの膝を圧迫して固定するように弾力性を有する菱形に形成される。
【００５２】
このとき、前記膝保護部２２０は、複数の直線を有する形で形成されてもよく、長円状を有し、膝が圧迫できる形で形成されてもよく、前記直線が形成される方向は横方向や縦方向のうちのいずれか一方の所望の方向であってもよい。
【００５３】
前記股関節部２３０は、ペットの両側の股関節部を保護する構成要素であり、弾力性を有する繊維素材を用いて「Ｘ」字状に形成して股関節が歪むことを防ぐ。
【００５４】
また、前記股関節部２３０は、両側の股関節部に数字「８」が横たわるような形状に製織されて股関節が歪むことを防ぎ、前記股関節部と一体に形成されてより強く圧迫可能な部分を形成して歪みの防止になお一層効果的である。
【００５５】
前記股関節部２３０の間に形成されて圧迫効果を高める部分は、直線状に形成されてもよく、その形状に制限はない。
【００５６】
前記固定部２４０は、前記ペット用衣類のずり落ちを防ぐために前記ペットの腰に引っ掛かるように固定し、前記固定部も弾力性を有するように製織される。
【００５７】
このとき、ペットの腰とは、ペットの腹から尻尾までの部分のことをいい、前記固定部２４０は、前記ペットの腰部に配設されて衣類がずり落ちることを防ぐ。
【００５８】
また、前記固定部２４０は、肩ひも（サスペンダー）状に製織されて前記ペットの身体に固定できるように形成されてもよく、前記固定部２４０は、これに限定されず、種々の形で形成可能である。
【００５９】
前記膝保護部２２０および股関節部２３０と、前記膝保護部および股関節部を除く残りの部分とは一体に形成されるが、前記膝保護部２２０と、股関節部２３０および固定部２４０は、前記残りの部分よりも弾力性が強いように形成されることを特徴とし、前記膝保護部２２０と、股関節部２３０および固定部２４０の弾力性は等しいように形成されてもよく、異なるように形成されてもよい。
【００６０】
図１０および図１１を参照して、前記膝保護部および股関節部について詳細に説明すると、下記の通りである。
【００６１】
図１０および図１１を参照すると、ペットの後脚の膝蓋骨の脱臼を予防するために、前記体形補正用衣類の下衣における前記ペットの後脚が位置する膝部に前記膝を取り囲んだ菱形を有する膝保護部２２０を形成する。
【００６２】
前記膝保護部２２０が形成された状態で前記片側の膝保護部２２０を拡開させると、Ｘ字状が続いて真ん中に前記菱形が形成され、前記菱形を両側から引っ張って前記ペットの膝が撓まないように圧迫することができる。
【００６３】
また、前記膝保護部２２０は、直線を有する形で形成されてもよい。
【００６４】
このとき、前記直線が形成される方向は、横方向や縦方向であり、前記直線を両側から引っ張って前記膝を圧迫することができる。
【００６５】
さらに、前記膝保護部２２０は長円状に形成されてもよい。
【００６６】
このとき、前記長円状を強く圧迫するために、上下に固定するものが一体に形成されてもよい。
【００６７】
前記股関節部２３０は、前記ペットが後脚で立った場合など、非正常的な姿勢により股関節が脱臼されることを防ぐために、前記ペットの股関節を圧迫可能なようにそれぞれ股関節にＸ字状に形成されてもよい。
【００６８】
さらにまた、前記股関節部２３０は、両側の股関節部に数字「８」が横たわった形状に形成されてもよく、前記数字「８」が横たわった形状に形成される場合、股関節が歪むことを防ぎ、前記股関節部２３０と一体に形成されてより強く圧迫可能な部分を形成して歪みの防止により効果的である。
【００６９】
前記股関節部２３０の間に形成されて圧迫効果を高める部分は直線状に形成されてもよく、その形状は制限されない。
【００７０】
このとき、前記膝保護部２２０および股関節部２３０は、前記膝保護部２２０および股関節部２３０を除く残りの部分よりも強い弾力性を有するように製織される。
【００７１】
また、前記図１０および図１１に示すペット用衣類に表記されているＡおよびＡ’、ＢおよびＢ’、並びにＣおよびＣ’の部分は、図示の仮想線ｌ１、ｌ２を軸として矢印の方向に折り畳まれながら繋がって一体に形成される。
【００７２】
本発明が属する技術分野における通常の知識を有する者は、本発明がその技術的思想や必須な特徴を変更することなく他の具体的な形態で実施することができるということが理解できる筈である。よって、上述した実施形態はあらゆる面で例示的なものであり、限定的なものではないと理解しなければならない。本発明の範囲は、前記詳細な説明よりは、後述する請求の範囲により開示され、請求の範囲の意味および範囲並びにその均等な概念から導き出されるあらゆる変更または変形された形態が本発明の範囲に含まれるものと解釈さるべきである。
【符号の説明】
【００７３】
１００  上衣
１１０  脊椎保護部
１２０  脊椎固定部
１３０  嵌合部
１４０  心臓マッサージ部
１４１  突出部
１５０  腹部マッサージ部
１５１  突出部
２００  下衣
２１０  尻尾部
２２０  膝保護部
２３０  股関節部
２４０  固定部
【図１】
2018519789.tif 000003
【図２】
2018519789.tif 000004
【図３】
2018519789.tif 000005
【図４】
2018519789.tif 000006
【図５】
2018519789.tif 000007
【図６】
2018519789.tif 000008
【図７】
2018519789.tif 000009
【図８】
2018519789.tif 000010
【図９】
2018519789.tif 000011
【図１０】
2018519789.tif 000012
【図１１】
2018519789.tif 000013
【図１２】
2018519789.tif 000014
【国際調査報告】
2018519789.tif 000015
2018519789.tif 000016
2018519789.tif 000017
2018519789.tif 000018
2018519789.tif 000019